(57)【特許請求の範囲】
【請求項１】
積算体積計である水道メータの器差を検査するときに用いる横型複動式ピストン方式の体積基準器であって、
軸線を水平に配置した円筒形のシリンダ（１）と、シリンダ（１）内を摺動可能に嵌合しているピストン（１１）を備え、
ピストン（１１）が、シリンダ（１）の内周に嵌合するほぼ円筒形の筒部（１２）と、筒部（１２）の両端に間隔を置いて取り付けた端板（１３）（１４）とからなり、
前記両端板（１３）（１４）に固着されたピストンロッド（１６）を備え、
筒部（１２）と両端板（１３）（１４）に囲まれた空間が気室（１９）を形成し、この気室（１９）内には気体が満たされていて、
ピストン（１１）には、ピストン（１１）の筒部外周に形成した溝に嵌合するサポートリング（１５）と、
一方の端板（１３）の内周溝に嵌合し、ピストンロッド（１６）の外周に密着して気室（１９）とシリンダ（１）内の水とを遮断する２つのＯリング（２０）（２０）と、
他方の端板（１４）の内周溝に嵌合し、ピストンロッド（１６）の外周に密着して気室（１９）とシリンダ（１）内の水とを遮断する２つのＯリング（２１）（２１）と、
ピストン（１１）の筒部（１２）の外周溝に嵌合してピストン（１１）とシリンダ（１）との間をシールする第１の１対のピストンシール（２３）（２３）と、第２の１対のピストンシール（２４）（２４）と、
筒部（１２）の一端と一方の端板（１３）との間に設けられて、気室（１９）とシリンダ（１）内の水とを遮断する第１のＯリング（２２）と、
筒部（１２）の他端と他方の端板（１４）との間に設けられて、気室（１９）とシリンダ（１）内の水とを遮断する第２のＯリング（２２）を設けた
ことを特徴とする液体用ピストンプルーバー。
【請求項２】
シリンダの上部でかつ端部にエアー抜きを設けたことを特徴とする請求項１記載の液体用ピストンプルーバー。
【請求項３】
シリンダの内底部でかつ端部にゴミ溜まり部を形成し、該ゴミ溜まり部にゴミ掃除ポートを設けたことを特徴とする請求項１又は２記載の液体用ピストンプルーバー。
【発明の詳細な説明】
【０００１】
【発明の属する技術分野】
本発明は水道メータ等の積算体積計の器差を検査するときに用いる体積基準器に関し、いわゆる液体用ピストンプルーバーの改良に関する。
【０００２】
【従来の技術】
水道メータの自動検査装置に用いる体積基準器として、いわゆるピストン方式のプルーバーが特開平７−１１３６７７号公報に開示されている。
【０００３】
この液体用ピストンプルーバーは、軸線を水平に配置したシリンダ内のピストンを軸線方向に移動させるもので、サーボモータの回転を変換器により直線運動に変換してピストンを軸線方向に移動させる。
【０００４】
【発明が解決しようとする課題】
前記従来の技術では、微流量時等にピストンのがたつき等によってステックスリップ、即ち止まったり動いたりすることが生じ、器差検査の精度が落ち、低摺動抵抗性、耐久性の点で体積基準器としての有効期間を満足することが困難という問題点があった。
【０００５】
また、エアー抜きが困難であるという問題点もあった。
さらにまた、シリンダ内のゴミ・錆等の除去を簡単に行うことができないという問題点もあった。
【０００６】
そこで、本発明はこのような問題点を解消できる液体用ピストンプルーバーを提供することを目的とする。
【０００７】
【課題を解決するための手段】
前記目的を達成するために、請求項１記載の第１の発明は、
積算体積計である水道メータの器差を検査するときに用いる横型複動式ピストン方式の体積基準器であって、
軸線を水平に配置した円筒形のシリンダ（１）と、シリンダ（１）内を摺動可能に嵌合しているピストン（１１）を備え、
ピストン（１１）が、シリンダ（１）の内周に嵌合するほぼ円筒形の筒部（１２）と、筒部（１２）の両端に間隔を置いて取り付けた端板（１３）（１４）とからなり、
前記両端板（１３）（１４）に固着されたピストンロッド（１６）を備え、
筒部（１２）と両端板（１３）（１４）に囲まれた空間が気室（１９）を形成し、この気室（１９）内には気体が満たされていて、
ピストン（１１）には、ピストン（１１）の筒部外周に形成した溝に嵌合するサポートリング（１５）と、
一方の端板（１３）の内周溝に嵌合し、ピストンロッド（１６）の外周に密着して気室（１９）とシリンダ（１）内の水とを遮断する２つのＯリング（２０）（２０）と、
他方の端板（１４）の内周溝に嵌合し、ピストンロッド（１６）の外周に密着して気室（１９）とシリンダ（１）内の水とを遮断する２つのＯリング（２１）（２１）と、
ピストン（１１）の筒部（１２）の外周溝に嵌合してピストン（１１）とシリンダ（１）との間をシールする第１の１対のピストンシール（２３）（２３）と、第２の１対のピストンシール（２４）（２４）と、
筒部（１２）の一端と一方の端板（１３）との間に設けられて、気室（１９）とシリンダ（１）内の水とを遮断する第１のＯリング（２２）と、
筒部（１２）の他端と他方の端板（１４）との間に設けられて、気室（１９）とシリンダ（１）内の水とを遮断する第２のＯリング（２２）を設けた
ことを特徴とする液体用ピストンプルーバーである。
【０００９】
請求項２の発明は、請求項１の液体用ピストンプルーバーにおいて、シリンダの上部でかつ端部にエアー抜きを設けたことを特徴とするものである。
【００１０】
そして、請求項３の発明は、請求項１又は２の液体用ピストンプルーバーにおいて、
シリンダの内底部でかつ端部にゴミ溜まり部を形成し、該ゴミ溜まり部にゴミ掃除ポートを設けたことを特徴とするものである。
【００１１】
【作用】
気室の浮力によってピストンの実質的な重量が軽くなり、ピストンが軽く動くようになる。そのため、微流量時等でもステックスリップが生じないし、ピストンプルーバーの信頼性を高める。
【００１２】
又、気室によるピストンの実質的な軽量化を考えて、筒部の水平方向の長さ、つまりピストンの厚みを大きく出来るため、ピストンのがたつきを小さくでき、その面からもステックスリップの発生が減少する。
【００１３】
エアー抜きは必要に応じて容易にシリンダ内のエアーを抜き、計測誤差を小さくする。
シリンダ内に侵入したゴミや、シリンダ内で発生したゴミは、ピストンの摺動部外のゴミ溜まり部に溜まり、該ゴミはゴミ掃除ポートから必要に応じて適時に排出する。
【００１４】
【発明の実施の形態】
次に本発明の好ましい実施の形態を図面の実施例に基づいて説明する。
円筒形のシリンダ１は水平に配設され、その左端と右端に蓋状のヘッド２，３が固定されている。シリンダ１はヘッド２，３とサポートブロック４，５、ベースプレート６及び防震マウント７，８で軸線が水平になるように支持されている。
【００１５】
ヘッド２，３には、後述するピストンロッドを摺動可能に軸受するベアリングヘッド９，１０が固定されている。
ピストン１１はほぼ円筒形の筒部１２と、その左右端に取り付けた端板１３，１４とからなり、シリンダ１内を左右に摺動可能に嵌合している。
【００１６】
筒部１２の外周に形成した溝にはサポートリング１５が嵌合している。
ピストンロッド１６はピストンロック１７，１８により端板１３，１４に固着されている。又、ピストンロッド１６は前記ベアリングヘッド９，１０に軸受され図示左右方向に移動可能である。
【００１７】
筒部１２と端板１３，１４に囲まれた空間は気室１９を形成し、この気室１９内には気体が満たされている。
２０，２１は端板１３，１４の内周溝に嵌合するシール用Ｏリングで、ピストンロッド１６の外周に密着して気室１９とシリンダ１内の液体（水）とを遮断する。２２も同様の機能を果たすＯリングである。
【００１８】
２３，２４はピストンシールで、ピストン１１の外周溝に嵌合して、ピストン１１とシリンダ１との間をシールする。ヘッド２，３の溝に嵌入したＯリング２５，２６はシリンダ１とヘッド２，３の間からの液体の漏れを防止する。
【００１９】
シリンダ１の内底部の両端には他の部分より大径のゴミ溜まり部１ａ，１ｂが形成され、該ゴミ溜まり部１ａ，１ｂに溜まったゴミや錆等の微細物は、該部１ａ，１ｂに設けたゴミ掃除ポート２７，２８を適宜の時に明けて除去する。図ではこれらのポート２７，２８に栓が設けてある。
【００２０】
シリンダ１内の上部かつ端部にはエアー抜き２９，３０が校正用と兼用に設けられている。
３１，３２はベアリングヘッドに設けた第１と第２のベアリングシールである。
【００２１】
ピストン１１は、ヘッド２の穴３３から液体をシリンダ１内へ入れることで図１の右方に移動し、ヘッド３の穴３４から液体をシリンダ１内へ入れることで図１の左方に移動する。
【００２２】
ピストンロッド１６はベアリングヘッド９を貫通して図１で左方に延在し、その左端にはタイプレート３５が固着されている。このタイプレート３５はヘッド２に各一端を固定したガイドバー３６，３７に案内されて、ピストンロッド１６と共に図１で左右に移動する。
【００２３】
ピストン１１の移動距離、つまり液体の実流量はガイドバー３６，３７の図１左端に固定したフレーム３８に一端を固定したデジタルスケール本体３９の目盛りをタイプレート３５の上端に取り付けたセンサ４０で読み取ってデジタル量として検出する。
【００２４】
デジタルスケールとしては、リニアスケールや磁気式のマグネスケール等を用いることができる。
上記液体用ピストンプルーバーを用いて水道メータ等の積算体積計の器差を検査するには、ポンプ圧送、定圧タンク併用で給水し、図示の横型複動式ピストン方式で駆動・給水をすることで給水と計量（排水）を同時に行う。
【００２５】
【発明の効果】
本発明の液体用ピストンプルーバーは上述のように構成されているので、ピストンの実質的な重量が軽くなり、微流量時等のステックスリップが生じないため、計測精度が向上し、信頼性も向上する。
【００２６】
さらにピストンのがたつきを小さくできる面からもステックスリップの発生が減少する。
また、請求項２の発明では、更にシリンダ内のエアーを容易に抜くことができる。
【００２７】
そして、請求項３の発明では、さらに、ゴミ等の微細物をピストンの摺動部外に溜め、これを必要に応じて容易に除去できるので、その面からも寿命が延びて信頼性が向上する。
【図面の簡単な説明】
【図１】本発明の実施例の縦断面図である。
【図２】図１の一部拡大図である。
【図３】本発明の実施例の左側面の一部を示す図である。
【図４】本発明の実施例の右側面の一部を示す図である。
【符号の説明】
１          シリンダ
１ａ，１ｂ  ゴミ溜まり部
２，３      ヘッド
１１        ピストン
１２        筒部
１３，１４  端板
１６        ピストンロッド
１９        気室
２７，２８  ゴミ掃除ポート
２９，３０  エアー抜き
【図１】
0004112657.tif 000002
【図２】
0004112657.tif 000003
【図３】
0004112657.tif 000004
【図４】
0004112657.tif 000005